(57)【要約】      （修正有）【課題】漏斗の流出管の管軸が完全に垂直となるような姿勢、すなわち漏斗が詰め替え容器に対し確固として安定な姿勢を採ることができるようにする。【解決手段】漏斗１００は、容器の底面に流出管２が突設された漏斗本体１０の、その流出管２を詰め替え容器の口に挿入して液体または粉体を移し換える際、漏斗本体１０を詰め替え容器に安定して装着させるためのアダプタ部２０を備えている。このアダプタ部２０は、流出管２をその管軸Ｃ周りに取り囲む囲み形状を成し、その囲み形状の内側が、流出管２の管軸Ｃを同心軸とする円筒２１，２２となっており、円筒２１，２２はその内径に対応した外径を有する詰め替え容器の口にゆるやかに嵌合するようになっている。【選択図】図２
0003141490.tif 000002
【実用新案登録請求の範囲】
【請求項１】
容器の底面に流出管が突設された漏斗本体の、その流出管を詰め替え容器の口に挿入して液体または粉体を移し換える際、漏斗本体を前記詰め替え容器に安定して装着させるためのアダプタを備えた漏斗であって、
そのアダプタは、前記流出管を、その流出管の管軸周りに取り囲む囲み形状を成し、その囲み形状の内側が、前記流出管の管軸を同心軸とする円筒となっており、その円筒が、その円筒の内径に対応した外径を有する前記詰め替え容器の口にゆるやかに嵌合するようになっていることを特徴とする漏斗。
【請求項２】
請求項１に記載の漏斗において、
上記円筒が、その円筒の筒軸に沿って下向きに段階的に拡径してゆく段付き円筒となっており、その段付き円筒の各円筒が、それぞれの内径に対応した外径を有する前記詰め替え容器の口にゆるやかに嵌合するようになっていることを特徴とする漏斗。
【請求項３】
請求項１または２に記載の漏斗において、
上記囲み形状に、上記段付き円筒の周に直交する方向の割りが形成されていることを特徴とする漏斗。
【請求項４】
請求項１から３のいずれかに記載の漏斗において、
上記アダプタが上記漏斗本体に対し、着脱自在となっていることを特徴とする漏斗。
【考案の詳細な説明】
【技術分野】
【０００１】
本考案は、漏斗に関する。
【背景技術】
【０００２】
漏斗は、言うまでも無く、液体または粉体（以下、液体で代表させる）を口径の小さな容器に移し換える際に用いる器具であり、容器の底面に小径の流出管が突設された基本形状を成す。この容器の部分は、逆円錐ないしは「お椀」形状を成し、それら逆円錐の頂点や、お椀の底面の中心に小径の流出管が突設されたものである。
【０００３】
使用時には、その流出管を、詰め替え容器の口に挿入して、逆円錐の外周面、あるいはお椀形状の場合は、お椀の底面を容器の口の周縁に当接させて装着するようにしている。
【０００４】
しかしながら、流出管は、複数の詰め替え容器に対応すべく、その小径の度合いは、流出管を詰め替え容器の口に挿入した際、大きな遊びを有するものであり、他方、漏斗の容器の側は、移し換える液体を多量に滞留させるべく、流出管の径に比べて、不釣合いな程度に大きいものである。従って、そのような漏斗を詰め替え容器の口に装着すると、不安定な状態となるのが一般的である。
【０００５】
例えば、漏斗の容器が逆円錐形状の場合は、その逆円錐の流出管寄りの部分が詰め替え容器の口に沿うようになるので、詰め替え容器の口の内径との間には「遊び」がなくなり、それなりの安定感はあるが、お椀型の場合は、逆円錐型のように、円錐外周面が口にぴったりと沿う、といったことにはならず、特に、底面が流出管の管軸に対して殆ど直交しているような面の場合、流出管と口の間の遊びの分だけ、水平にずれたり、また、この遊びをもとに斜めに傾いたりする。
【０００６】
さらに、逆円錐型の場合でも、円錐の外周面が詰め替え容器の口にぴったりと沿う、とはいっても、円錐部に作業者の身体の一部などが触れて、漏斗を上方に引き上げるような力が作用すると、流出管と口の間に隙間が生じ、この隙間を基に漏斗本体が傾くことになり、結局は不安定な姿勢になる可能性を有したものとなっている。
【０００７】
どちらも、漏斗本体の容器に液体を注入していくことにより、その液体の重力でもって、当接面が詰め替え容器の口に押圧されるので、注入前よりは安定するが、それでも不安定なものである。
【０００８】
また、前記したように、注入前の不安定な状態で液体を注入しようとした際、その容器に作業者の身体の一部などが接触して容器が傾くと、液が容器外に零れ落ちる、といったことにもなる。
【０００９】
このような問題事例に対処するため、例えば、下記の公知文献（特許文献１）には、漏斗本体の容器の部分（この公知文献では、本文のこの「容器」の部分を「漏斗本体」と称している）に、流出管を取り巻く形で外部脚部を設け、この脚部を液体の詰め替え容器の肩口に当接させて、漏斗本体（本文の「容器」）の設置状態を安定させようとしている。
【特許文献１】特開２００１−１２２３９５号公報
【考案の開示】
【考案が解決しようとする課題】
【００１０】
しかしながら、上記特許文献に開示されている漏斗は、漏斗にそれを傾けるような力が加わった際、その外部脚部によって漏斗本体が支えられるようになったものであるが、その状態は、添付の図６に示されているように、大きく傾いた姿勢となっている。
【００１１】
すなわち、この特許文献の漏斗では、その段落（００１３）にも記載されているように、詰め替え容器の口から流出管が抜け落ちることなく、漏斗の転落が防止される、といったレベルに止まり、漏斗本体を完全に安定な姿勢、具体的には、流出管の管軸が完全に垂直となるような姿勢を保つ、といったレベルには至っていない。
【００１２】
従って、少し大きな力が加わったり、小さくとも、その力の掛かる方向によっては、流出管が詰め替え容器の口から容易に抜け出して、漏斗全体が詰め替え容器から転落するおそれがある。
【００１３】
そこで、この考案の課題は、漏斗を用いて液体を口径の小さな容器に詰め替える際に、漏斗が、詰め替え容器に対し、確固として安定な姿勢を採ることができる、つまり、その流出管の管軸が完全に垂直となるような姿勢を保つことができるようにすることにある。
【課題を解決するための手段】
【００１４】
上記課題を解決するために、請求項１に記載の考案は、容器の底面に流出管が突設された漏斗本体の、その流出管を詰め替え容器の口に挿入して液体または粉体を移し換える際、漏斗本体を前記詰め替え容器に安定して装着させるためのアダプタを備えた漏斗であって、そのアダプタは、前記流出管を、その流出管の管軸周りに取り囲む囲み形状を成し、その囲み形状の内側が、前記流出管の管軸を同心軸とする円筒となっており、その円筒が、その円筒の内径に対応した外径を有する前記詰め替え容器の口にゆるやかに嵌合するようになっている構成を採用したのである。
【００１５】
このようにしたので、漏斗本体は、従来のように、その容器の底面寄りの部分で詰め替え容器の口の周縁に載置されている、というのではなく、アダプタ内面の円筒が、詰め替え容器の口に係合した形で詰め替え容器に装着される。
【００１６】
請求項２に記載の考案は、請求項１に記載の漏斗において、上記円筒が、その円筒の筒軸に沿って下向きに段階的に拡径してゆく段付き円筒となっており、各円筒が、その内径に対応した外径を有する前記詰め替え容器の口にゆるやかに嵌合するようになっている構成を採用したのである。
【００１７】
そのようにすれば、請求項１に記載の漏斗の作用が、口径の異なる複数の詰め替え容器に対応可能となる。
【００１８】
請求項３に記載の考案は、請求項１または２に記載の漏斗において、上記囲み形状に、上記段付き円筒の周に直交する方向の割りが形成されている構成を採用したのである。
【００１９】
この「割り」を形成することによって、アダプタの材料は、可撓性を有するものでさえあれば、その囲み形状の内面に形成された円筒（請求項１の単一の円筒および請求項２の段付き円筒内の各円筒）は、その径を拡縮できるので、樹脂のように弾性を有するものだけでなく、例えば、金属の薄板を用いて作製することもでき、アダプタの製作上の幅が広がる。
【００２０】
また、弾性を有する樹脂で作製した場合でも、上記円筒は、その樹脂の弾性による自由度に加えて、割による径の拡縮の自由度が加わるので、詰め替え容器に対するアダプタの着脱がさらに容易となる。
【００２１】
請求項４に記載の考案は、請求項１から３のいずれかに記載の漏斗において、上記アダプタが上記漏斗本体に対し、着脱自在となっている構成を採用したのである。
【００２２】
そのようにすれば、アダプタ、漏斗本体のいずれかに欠損が生じた場合、アダプタを漏斗本体から取り外して、欠損が生じた方を取り替えれば、全体が無駄にならずに済む。
【考案の効果】
【００２３】
本考案は、上記のようなアダプタを有した構成を採用したので、漏斗が液体や粉体を移し換える詰め替え容器に確固として安定に装着でき、それら液体や粉体が零れ落ちる、といったおそれがない。
【００２４】
また、そのアダプタに、内径の異なる複数の嵌合形状を設ければ、口径の異なる複数の詰め替え容器に対応できる、という利点がある。
【考案を実施するための最良の形態】
【００２５】
以下、本考案の実施の形態を、図面を参照して説明する。
（第一の実施形態）
図１は、この考案の第一の実施形態の漏斗１００の正断面図である。図２は、本実施形態の漏斗１００の一部を成すアダプタ部２０を主体に示した図である。（ａ）は、その斜視図、（ｂ）は（ａ）のＩ−Ｉ線矢視平断面図、（ｃ）は（ｂ）のＩＩ−ＩＩ線矢視正断面図を示している。
【００２６】
先ず、図１に示すように、本実施形態の漏斗１００は、漏斗本体１０が、詰め替え用の液が注入されるお椀型の容器１と、その容器１の底面の中央に流出管２が突設された形のものである。
【００２７】
その漏斗本体１０に対し、本考案の特徴的構成であるところの、詰め替え容器に安定して装着するためのアダプタ部２０が備えられたものである。
【００２８】
本実施形態では、そのアダプタ部２０が、漏斗本体１０の流出管２の管軸Ｃ周りに流出管２を取り囲む囲み形状で、容器１の底面に一体化して取り付けられている。このような構成の本実施形態の漏斗１００は、ポリプロピレンやテフロン（登録商標）などの樹脂で形成されている。
【００２９】
このアダプタ部２０は、図２に示すように、その基本形状たる「末広がりの段付き円筒の囲み形状」を、その上端の円筒の段付き円筒の一部を割愛して、平面視、十字形状を成すようにしたものである（（ｂ）参照）。
【００３０】
そのアダプタ部２０の外形の正断面は、図２（ｃ）に示すように、先ず、上端に小径の円筒２１ａがあり、その小径の円筒２１ａ以降、流出管２の管軸Ｃを同心軸とする筒軸Ｋに沿って下のものほど径が大きくなってゆく三つの円筒２１ｂ、２１ｃ、２１ｄを擁し、全体として四段の段付き円筒２１を成すものである。そして、このような四段の段付き円筒２１の外形に対応して、その内部も四段の段付き円筒２２となっている。なお、上端の円筒２１ａの上面は、漏斗本体１０側の容器１に対する装着面となっており、この部分で容器１に一体化されている。また、各張り出し部２３には、その幅方向中央に、段付き面を補強するためのリブ２４が形成されている。
【００３１】
このアダプタ２０内面の四段の段付き円筒２２の各円筒２２ａ、２２ｂ、２２ｃ、２２ｄは、それぞれ、詰め替え用の対象とされた容器の口に緩やかに嵌合するような寸法となっている。すなわち、この径の異なる四段の円筒２２ａ、２２ｂ、２２ｃ、２２ｄによって、口径の異なる四種類の詰め替え容器の口に装着可能となっている。その作用を図３（ａ）〜（ｄ）に示す。
【００３２】
図に示すように、上端の一番小さな円筒２２ａが、口の外径が一番小さな詰め替え容器Ｂ１の口に嵌合し、以下、順に内径の大きくなった円筒２２ｂ、２２ｃ、２２ｄのそれぞれが、これも口の外径が順に大きくなった詰め替え容器Ｂ２、Ｂ３、Ｂ４のその口に嵌合可能となっている。
【００３３】
なお、本考案で言うところの、上記アダプタ部２０内面の各円筒２２ａ、２２ｂ、２２ｃ、２２ｄが詰め替え容器Ｂ１、Ｂ２、Ｂ３、Ｂ４の口に「緩やかに嵌合する」とは、大きながたつきが生じるようなゆるやかさでは勿論なく、本考案の目的、すなわち、漏斗１００が確固として詰め替え容器に安定に装着されることを最低限満たす程度の「緩やかさ」である。具体的には、アダプタ部２０の中心軸が、液の注入の際に容器１に圧力が加わっても、ほぼ垂直な状態を保ち続けながら、アダプタ部２０の着脱の際には、大きな力を必要としない程度に嵌合している、という状態をいう。
【００３４】
このようなアダプタ部２０の存在により、本実施形態の漏斗１００は口の外径の異なる四種類の詰め替え容器Ｂ１、Ｂ２、Ｂ３、Ｂ４に対して真直に装着され、傾くおそれが全くない。
【００３５】
そして、先述したように、本実施形態では、アダプタ２０の基本形状となった段付き円筒２１の囲み形状を平面視十字となるように割愛して四つの張り出し部２３を形成したので、詰め替え容器の口に嵌合する各円筒２２ａ、２２ｂ、２２ｃ、２２ｄの径の拡縮が容易となり、各円筒２２ａ、２２ｂ、２２ｃ、２２ｄの、詰め替え容器Ｂ１、Ｂ２、Ｂ３、Ｂ４の口に対する着脱を容易にしているのである。
【００３６】
本実施形態のアダプタ部２０は、ポリプロピレンやテフロン（登録商標）などの樹脂で形成しているが、本実施形態のアダプタ部２０の材料としてはこれに限られるものではない。
【００３７】
つまり、本実施形態の場合、今述べたように、一部を割愛して十字形状の張り出し部２３を形成しているので、詰め替え容器Ｂ１、Ｂ２、Ｂ３、Ｂ４の口に嵌合させる円筒面はこの十字形状によって、その径が拡縮可能となるので、可撓性のある材料であれば、例えば、ステンレスなどの薄手の金属板でもよい。
【００３８】
ただし、アダプタ部２０に金属を使う場合、アダプタ部２０を漏斗本体１０に一体化させているので、漏斗本体１０も金属で作製する必要がある。
【００３９】
なお、請求項３に記載の考案における「割り」の基本的概念は、元の「末広がりの段付き円筒の囲み形状」の一部を割愛して、平面視十字形状にした際の、その割愛した部分をいい、アダプタ内面の各円筒が詰め替え容器の口に容易に着脱できるようにするためのものである。
【００４０】
従って、図示はしなかったが、本考案のアダプタ部の基本形は、この第一の実施形態において平面視した図２（ｂ）のような十字形状を成すものでなく、単なる、「末広がりの段付き円筒２１の囲み形状」でもよいのである。その内面の各段付き円筒２２ａ、２２ｂ、２２ｃ、２２ｄが、対応させる詰め替え容器Ｂ１、Ｂ２、Ｂ３、Ｂ４の口にゆるやかに嵌合する寸法に形成していればよいのである。
【００４１】
(第二の実施形態)  第二の実施形態の漏斗 (図５の全体図で符号２００を付している)の基本形状は第一の実施形態のものと変わりはない。本実施形態のものが第一の実施形態のものと異なるのは、第一の実施形態のアダプタ部２０が、単独のアダプタ３０として、漏斗本体１０に対して着脱自在となっていることである。図４は、本実施形態の漏斗２００におけるアダプタ３０と漏斗本体１０との係わりを、部分拡大図で示している。また、図５はその作用図である。以下、先ず、その構成について述べる。
【００４２】
第一の実施形態では、アダプタ部２０の基本形状である段付き円筒２１が、その上端の円筒２１ａの部分で、漏斗本体１０に対して一体化されていたが、本実施形態のアダプタ３０は、その基本形状の段付き円筒２１の上端の円筒２１ａが、第一の実施形態の上端の円筒２１ａをその上方に拡大した高さを有しており、その拡大した部分の内面に雌ネジ２６が形成されたものとなっている。
【００４３】
そして、そのアダプタ３０側の雌ネジ２６に対応して、漏斗本体１０側では、流出管２の外面に雄ネジ３を形成し、この雄ネジ３とアダプタ３０の前記雌ネジ２６との螺合によって、図５に示すように、アダプタ３０を着脱自在としているのである。
【００４４】
この基本形状の段付き円筒２１は、第一の実施形態と同様、上端の円筒２１ａ以下、三段の円筒２１ｂ、２１ｃ、２１ｄの外径が順に大きくなって行き、内側もそれに対応する四段の段付き円筒２２になっており、その各円筒２２ａ、２２ｂ、２２ｃ、２２ｄが、それぞれ、それらに対応した詰め替え容器Ｂ１、Ｂ２、Ｂ３、Ｂ４の口に嵌合するようになっている。
【００４５】
このように、本実施形態では、アダプタ３０を漏斗本体１０に対して着脱自在としたので、アダプタ３０、漏斗本体１０のいずれかに欠損が生じた場合、アダプタ３０を漏斗本体１０から取り外して、欠損が生じた方を取り替えれば、全体が無駄にならずに済む。
【産業上の利用可能性】
【００４６】
本考案は、液体または粉体を詰め替え容器に詰め替える際に使用される漏斗に広く適用可能である。
【図面の簡単な説明】
【００４７】
【図１】第一の実施形態の漏斗の正断面図である。
【図２】（ａ）に第一の実施形態のアダプタ部の斜視図、（ｂ）に（ａ）のＩ−Ｉ線矢視平断面図、（ｃ）に（ｂ）のＩＩ−ＩＩ線矢視正断面図を示している。
【図３】（ａ）〜（ｄ）は第一の実施形態の漏斗の作用を示した図である。
【図４】（ａ）に第二の実施形態のアダプタの斜視図、（ｂ）に平面図、（ｃ）に（ｂ）のＩＩＩ−ＩＩＩ線矢視正断面図を示している。
【図５】第二の実施形態の漏斗の作用を示した図である。
【符号の説明】
【００４８】
１    容器
２    流出管
３    雄ネジ
１０    漏斗本体
２０    アダプタ部
２１    段付き円筒（外面側）
２２    段付き円筒（内面側）
２３    張り出し部
２６    雌ネジ
３０    アダプタ
１００、２００    漏斗
Ｃ    管軸
Ｋ    筒軸
【図１】
0003141490.tif 000003
【図２】
0003141490.tif 000004
【図３】
0003141490.tif 000005
【図４】
0003141490.tif 000006
【図５】
0003141490.tif 000007